(57)【要約】      （修正有）【課題】特定色を色補正するとき、補正対象以外の色に影響を与えずに、撮影状況や撮影する映像に応じて色補正量を変化させることができる撮像装置を提供する。【解決手段】撮影モード選択手段と、色差平面上における所定の色の位置を示す位置データと所定の色の位置を中心点とした所定の範囲を補正範囲として設定するための補正範囲設定データと補正範囲に該当する特定色を所定の色を示す位置に収束させるための収束係数データとを含んだ色収束パラメータ値が記憶してある色収束パラメータ記憶手段と、撮影モード選択手段で選択した撮影モード情報に基づき、色収束パラメータ記憶手段の中から該当する特定色の色収束パラメータ値を選択して設定する色収束パラメータ設定手段と、色収束パラメータ設定手段で設定された色収束パラメータ値に基づいて算出した補正量により映像信号の中の特定色を所定の色に補正する色収束補正処理手段と、を備える。【選択図】  図１
2004297698.tif 000002
【特許請求の範囲】
【請求項１】
所定の撮影条件に応じて定めてある特定色の情報を含んだ撮影モード情報が設定されており、この設定してある撮影モード情報の中から所望の撮影モード情報を選択する撮影モード選択手段と、
色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、
前記撮影モード選択手段で選択した撮影モード情報に基づき、前記色収束パラメータ記憶手段の中から該当する特定色の色収束パラメータ値を選択して設定する色収束パラメータ設定手段と、
前記色収束パラメータ設定手段で設定された色収束パラメータ値に基づいて算出した補正量により映像信号の中の特定色を前記所定の色に補正する色収束補正処理手段と、
を備えた撮像装置。
【請求項２】
前記色収束パラメータ記憶手段の補正範囲設定データは、前記色差平面上における所定の色の位置を中心点とした円形又は楕円形の範囲を補正範囲として設定するデータであること
を特徴とする請求項１に記載の撮像装置。
【請求項３】
前記色収束パラメータ記憶手段は、前記色収束パラメータ値を変更する機能を備えていること
を特徴とする請求項１に記載の撮像装置。
【請求項４】
前記撮影モード選択手段は、前記撮影モード情報を撮影環境に応じて自動的に選択する機能を備えていること
を特徴とする請求項１に記載の撮像装置。
【請求項５】
所定の撮影条件に応じて定めてある特定色の情報を含んだ撮影モード情報が設定されており、この設定してある撮影モード情報の中から所望の撮影モード情報を選択する撮影モード選択手段と、
色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、
前記撮影モード選択手段で選択した撮影モード情報に基づき、前記色収束パラメータ記憶手段の中から該当する特定色の色収束パラメータ値を選択して設定する色収束パラメータ設定手段と、
前記撮影モード選択手段で選択した撮影モード情報に基づいて映像信号の中から特定色の映像信号を抽出する特定色抽出手段と、
前記特定色抽出手段で抽出した特定色の映像信号における輝度レベルに応じて前記映像信号の輝度レベルを補正する輝度補正手段と、
前記色収束パラメータ設定手段で設定された色収束パラメータ値に基づいて算出した補正量により映像信号の中の特定色を前記所定の色に補正する色収束補正処理手段と、
を備えた撮像装置。
【請求項６】
前記輝度補正手段は、前記映像信号における前記特定色の映像信号の割合を算出し、該算出した割合に応じて該特定色の映像信号の輝度レベルを補正する機能を備えていること
を特徴とする請求項５に記載の撮像装置。
【請求項７】
前記色収束パラメータ記憶手段の補正範囲設定データは、前記色差平面上における所定の色の位置を中心点とした円形又は楕円形の範囲を補正範囲として設定するデータであること
を特徴とする請求項５に記載の撮像装置。
【請求項８】
前記色収束パラメータ記憶手段は、前記色収束パラメータ値を変更する機能を備えていること
を特徴とする請求項５に記載の撮像装置。
【請求項９】
前記撮影モード選択手段は、前記撮影モード情報を撮影環境に応じて自動的に選択する機能を備えていること
を特徴とする請求項５に記載の撮像装置。
【発明の詳細な説明】
【０００１】
【発明の属する技術分野】
本発明は、撮像装置に関する。詳しくは、映像信号における特定色を記憶色など所定の色に補正することができる撮像装置に関する。
【０００２】
【従来の技術】
従来技術において、撮影する場面に応じた撮影モード（例えば、海、夜景、ポートレート、風景など）を選択することで、ピントやホワイトバランスなどの各種設定を自動的に行い、映像信号における特定色を撮影する場面に適した所定の色に補正することができるデジタルカメラなどの装置がある。
【０００３】
また、このような映像信号における特定色を補正できる装置において、特定の色を人間が潜在的に記憶している最も美しいと感じる色、いわゆる記憶色に補正する画像処理装置などが考案されている。（例えば、特許文献１参照。）。
【０００４】
【特許文献１】
特開２００１−２９２３９０号公報（第３−５頁、図５）
【０００５】
このような装置では、例えば、青空を含んだ風景を撮影した場合、撮影した映像を見るときには、実際に見た青空の色よりも鮮やかな色彩の青色を想起することが多いため、実際に撮影した映像の青色（特定色）を記憶色の青色になるように補正を行っている。
【０００６】
また、撮影した映像信号から補正対象となる特定色の映像信号を抽出し、抽出した特定色の映像信号に基づいて色の補正量を算出し、算出した補正量に基づいて補正対象となる特定色を補正することができる撮像装置が本出願人によって出願されている（特願２００３−８８０６０号公報参照）。
【０００７】
ここで、上述の本出願人によって出願されている撮像装置における色補正処理の動作概要について図８を参照しながら説明する。
【０００８】
図８は、撮像装置における色信号補正処理を行うための主要部の概略構成を示したブロック図であり、撮像レンズ部１０１Ａ、撮像素子１０２Ａ、Ｓ／Ｈ（Ｓａｍｐｌｅ／Ｈｏｌｄ）回路１０３Ａ、ＡＧＣ（Ａｕｔｏｍａｔｉｃ  ＧａｉｎＣｏｎｔｒｏｌ）回路１０４Ａ、Ａ／Ｄ（Ａｎａｌｏｇ／Ｄｉｇｉｔａｌ）変換回路１０５Ａ、特定色抽出回路１０６Ａ、ＷＢ（ホワイトバランス）回路１０７Ａ、ガンマ補正回路１０８Ａ、信号処理回路１０９Ａ、色差信号補正回路１１０Ａ、撮影モード選択回路１２０Ａ、色補正値設定部１３０Ａなどを備えた構成となっている。
【０００９】
まず、撮影モード選択回路１２０Ａで撮影モードを選択し、特定色信号抽出回路１０６Ａがこの撮影モードに応じた撮影モード情報に基づいて映像信号（Ｒ［赤］／Ｇ［緑］／Ｂ［青］）の中から特定色の映像信号である特定色信号（Ｒｓ［赤］／Ｇｓ［緑］／Ｂｓ［青］）を抽出し、特定色信号処理部１４０ＡのＷＢ回路１４１Ａ及びガンマ補正回路１４２Ａでホワイトバランス及び階調の補正がなされ、信号処理回路１４３Ａによって、輝度信号Ｙｓ及び色差信号［Ｂｓ−Ｙｓ］、色差信号［Ｒｓ−Ｙｓ］に変換される。
【００１０】
次に、特定色信号処理部１４０Ａの色差信号処理回路１４４Ａでは、信号処理回路１４３Ａから送られてくる色差信号［Ｂｓ−Ｙｓ］及び色差信号［Ｒｓ−Ｙｓ］から色差データの検出を行い、検出した色差データを色補正値設定回路１３０Ａに送出する。
【００１１】
次に、色補正値設定回路１３０Ａでは、撮影モード選択回路１２０Ａからの撮影モード情報に基づいて、補正対象となる特定色を判別し、ルックアップテーブルから該当する特定色の補正基準データを読み出し、読み出した特定色の補正基準データと色差信号処理回路１４４Ａから送られてくる色差データに基づいて、特定色を所定の色（記憶色など）に補正するための色補正値を算出する。
【００１２】
そして、色差信号補正回路１１０Ａが色差信号補正回路１１０Ａで算出した色補正値に基づいて映像信号（Ｒ［赤］／Ｇ［緑］／Ｂ［青］）の特定色を所定の色（記憶色など）に補正する。
【００１３】
このようにして撮影モードに応じて映像信号の特定色を所定の色（記憶色など）に色補正してイメージ通りの色で映像を再現している。
【００１４】
【発明が解決しようとする課題】
しかしながら、上述した撮像装置では、色差信号補正回路１１０によって、映像信号（Ｒ［赤］／Ｇ［緑］／Ｂ［青］）の特定色を所定の色（記憶色など）に補正するとき、色差平面（縦軸を色差［Ｒ−Ｙ］、横軸を色差［Ｂ−Ｙ］とした２次元座標）において、補正対象となる特定色と同じ象限に存在している別の色、即ち、補正対象外の色に影響を与えてしまうことがあるという問題を有している。
【００１５】
従って、映像信号の特定色を色補正するとき、補正対象以外の色に影響を与えずに、撮影状況や撮影する映像に応じて色補正量を変化させることができる撮像装置を提供することに解決しなければならない課題を有する。
【００１６】
【課題を解決するための手段】
前記課題を解決するため、本発明に係る撮像装置は次のような構成にすることである。
【００１７】
（１）所定の撮影条件に応じて定めてある特定色の情報を含んだ撮影モード情報が設定されており、この設定してある撮影モード情報の中から所望の撮影モード情報を選択する撮影モード選択手段と、色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、前記撮影モード選択手段で選択した撮影モード情報に基づき、前記色収束パラメータ記憶手段の中から該当する特定色の色収束パラメータ値を選択して設定する色収束パラメータ設定手段と、前記色収束パラメータ設定手段で設定された色収束パラメータ値に基づいて算出した補正量により映像信号の中の特定色を前記所定の色に補正する色収束補正処理手段と、を備えた撮像装置。
（２）前記色収束パラメータ記憶手段の補正範囲設定データは、前記色差平面上における所定の色の位置を中心点とした円形又は楕円形の範囲を補正範囲として設定するデータであることを特徴とする（１）に記載の撮像装置。
（３）前記色収束パラメータ記憶手段は、前記色収束パラメータ値を変更する機能を備えていることを特徴とする（１）に記載の撮像装置。
（４）前記撮影モード選択手段は、前記撮影モード情報を撮影環境に応じて自動的に選択する機能を備えていることを特徴とする（１）に記載の撮像装置。
【００１８】
（５）所定の撮影条件に応じて定めてある特定色の情報を含んだ撮影モード情報が設定されており、この設定してある撮影モード情報の中から所望の撮影モード情報を選択する撮影モード選択手段と、色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、前記撮影モード選択手段で選択した撮影モード情報に基づき、前記色収束パラメータ記憶手段の中から該当する特定色の色収束パラメータ値を選択して設定する色収束パラメータ設定手段と、前記撮影モード選択手段で選択した撮影モード情報に基づいて映像信号の中から特定色の映像信号を抽出する特定色抽出手段と、前記特定色抽出手段で抽出した特定色の映像信号における輝度レベルに応じて前記映像信号の輝度レベルを補正する輝度補正手段と、前記色収束パラメータ設定手段で設定された色収束パラメータ値に基づいて算出した補正量により映像信号の中の特定色を前記所定の色に補正する色収束補正処理手段と、を備えた撮像装置。
（６）前記輝度補正手段は、前記映像信号における前記特定色の映像信号の割合を算出し、該算出した割合に応じて該特定色の映像信号の輝度レベルを補正する機能を備えていることを特徴とする（５）に記載の撮像装置。
（７）前記色収束パラメータ記憶手段の補正範囲設定データは、前記色差平面上における所定の色の位置を中心点とした円形又は楕円形の範囲を補正範囲として設定するデータであることを特徴とする（５）に記載の撮像装置。
（８）前記色収束パラメータ記憶手段は、前記色収束パラメータ値を変更する機能を備えていることを特徴とする（５）に記載の撮像装置。
（９）前記撮影モード選択手段は、前記撮影モード情報を撮影環境に応じて自動的に選択する機能を備えていることを特徴とする（５）に記載の撮像装置。
【００１９】
このような構成の撮像装置において、選択した撮影モード情報に基づいて、色収束パラメータ記憶手段の中から該当する特定色の色収束パラメータ値を選択して設定する。そして、この色収束パラメータ値に基づき、該当する特定色を色差平面上における所定の色（記憶色など）の位置に収束させる為に必要な補正量を算出し、算出した補正量に従って映像信号の中の特定色を所定の色（記憶色など）に補正することによって、補正対象外の色に影響を与えずに撮影状況や撮影する映像に応じた補正量で特定色を補正することができる。
【００２０】
また、特定色の映像信号における輝度レベルに応じて映像信号の輝度レベルを補正する、又、映像信号における特定色の映像信号の割合を算出し、算出した割合に応じて特定色の輝度レベルを補正するので、該当する特定色の輝度を撮影状況や撮影する映像に応じて補正することができる。
【００２１】
【発明の実施の形態】
次に、本発明に係る撮像装置における実施の形態について図面を参照して説明する。但し、図面は専ら解説のためのものであって、本発明の技術的範囲を限定するものではない。
【００２２】
図１は、撮像装置において、色信号補正処理を行うための主要部の概略構成を示したブロック図であり、  撮像レンズ部１０１、撮像素子１０２、Ｓ／Ｈ（Ｓａｍｐｌｅ／Ｈｏｌｄ）回路１０３、ＡＧＣ（Ａｕｔｏｍａｔｉｃ  Ｇａｉｎ  Ｃｏｎｔｒｏｌ）回路１０４、Ａ／Ｄ（Ａｎａｌｏｇ／Ｄｉｇｉｔａｌ）変換回路１０５、特定色抽出回路１０６、ＷＢ（ホワイトバランス）回路１０７、信号処理回路１０８、色収束補正回路１１０、輝度補正回路１１１、撮影モード選択回路１２０、色収束パラメータ設定回路１３０、特定色信号処理部１４０などを備えている。
【００２３】
撮像レンズ部１０１は、被写体からの光を取り込んで撮像素子１０２へ送る。
【００２４】
撮像素子１０２は、光を電気信号に変換する複数個の画素（例えば、ＣＣＤ（Ｃｈａｒｇｅ  Ｃｏｕｐｌｅｄ  Ｄｅｖｉｃｅ）など）が配列されており、各画素によって撮像レンズ部１０１を通過してくる被写体からの光を電気信号に変換し、アナログ映像信号としてＳ／Ｈ回路１０３に送出する。
【００２５】
Ｓ／Ｈ回路１０３は、撮像素子１０２から送られてくるアナログ映像信号をサンプリングしてＡＧＣ回路１０４に送出し、サンプリングした値をＡ／Ｄ変換回路１０５の処理が終了するまで保持し、この処理が終了すると次のサンプリング値をＡＧＣ回路１０４に送出する。
【００２６】
ＡＧＣ回路１０４は、Ｓ／Ｈ回路１０３でサンプリングされたアナログ映像信号を増幅して、Ａ／Ｄ変換回路１０５へ送出する。
【００２７】
Ａ／Ｄ変換回路１０５は、ＡＧＣ回路３０で増幅されたアナログ映像信号をデジタルの映像信号（Ｒ［赤］／Ｇ［緑］／Ｂ［青］）に変換して特定色信号抽出回路１０６及びＷＢ回路１０７へ送出する。
【００２８】
特定色抽出回路１０６は、後述する撮影モード選択回路１２０からの撮影モード情報に基づいて、Ａ／Ｄ変換回路１０５から送られてくる映像信号（Ｒ［赤］／Ｇ［緑］／Ｂ［青］）の中から、色補正の対象とする特定色の映像信号（以下、特定色信号（Ｒｓ［赤］／Ｇｓ［緑］／Ｂｓ［青］）という）を抽出し、ホワイトバランスの制御量を算出してＷＢ回路１０７に送出し、また、抽出した特定色信号（Ｒｓ［赤］／Ｇｓ［緑］／Ｂｓ［青］）を特定色信号処理部１４０のＷＢ回路１４１に送出する。
【００２９】
なお、特定色抽出回路１０６は、特定色の映像信号を抽出するとき、映像信号（Ｒ［赤］／Ｇ［緑］／Ｂ［青］）の輝度レベルに応じて特定色の抽出範囲を変更して特定色の映像信号の検出を行う。
【００３０】
ＷＢ（ホワイトバランス）回路１０７は、特定色抽出回路１０６で算出された制御量に従って、Ａ／Ｄ変換回路１０５から送られてくる映像信号（Ｒ［赤］／Ｇ［緑］／Ｂ［青］）のホワイトバランスの補正を行い、信号処理回路１０８へ送出する。
【００３１】
信号処理回路１０８は、ＷＢ回路１０７から送られてくる映像信号（Ｒ［赤］／Ｇ［緑］／Ｂ［青］）を輝度信号Ｙ及び色差信号［Ｂ−Ｙ］、色差信号［Ｒ−Ｙ］に変換する。そして、変換した色差信号［Ｂ−Ｙ］、色差信号［Ｒ−Ｙ］を色収束補正回路１１０に送出し、また、変換した輝度信号Ｙを輝度補正回路１１１に送出する。
【００３２】
色収束補正回路１１０は、後述する色収束パラメータ設定回路１３０によって設定された色収束パラメータ値に基づいて、該当する特定色を所定の色（記憶色など）に補正するための補正量を算出し、算出した補正量に従って信号処理回路１０８から送られてくる色差信号［Ｂ−Ｙ］及び色差信号［Ｒ−Ｙ］の中の該当する特定色の色収束補正処理を行い、色収束補正処理した補正色差信号［Ｂ−Ｙ］”及び補正色差信号［Ｒ−Ｙ］”を次段回路へ送出する。
【００３３】
輝度補正回路１１１は、撮影モード選択回路１２０からの撮像モード情報と、特定色信号処理部１４０の信号処理回路１４２で変換された特定色の輝度信号Ｙｓとに基づいて、信号処理回路１０８から送られてくる輝度信号Ｙの輝度レベルを補正し、補正した輝度信号Ｙ”を次段回路へ送出する。
【００３４】
また、輝度補正回路１１１は、撮影した映像信号（Ｒ［赤］／Ｇ［緑］／Ｂ［青］）全体（画枠全体）における特定色の割合を算出して、算出した割合に応じて該当する特定色の輝度レベルを補正する。
【００３５】
撮影モード選択回路１２０は、予め撮影する条件や場面など（例えば、海、夜景、ポートレート、風景など）に応じて複数の撮影モードが設定されており、所望の撮影モードを選択することができる。
【００３６】
そして、撮影モードが選択されると、選択された撮影モードに対応した撮影モード情報を特定色抽出回路１０６、色収束パラメータ設定回路１３０、輝度補正回路１１１など装置各部に送出する。
【００３７】
撮影モード情報には、撮影モードに応じて定められた色補正の対象となる特定色の情報、ピントやホワイトバランスなどの各種設定を自動的に行うために必要な情報などが含まれている。
【００３８】
なお、撮影モード選択回路１２０は、周囲の明るさや光源の状態など撮影環境に応じて適切な撮影モードを自動的に選択できるようにすることも可能であり、自動選択と手動選択を切り換えるようにすることもできる。
【００３９】
色収束パラメータ設定回路１３０は、各撮影モードに応じた特定色を所定の色に収束させて補正するための色収束パラメータ値が記憶してあるデータテーブルを備えており、撮影モード選択回路１２０からの撮影モード情報に基づいて、データテーブルの中から、該当する特定色の色収束パラメータ値を選択して色収束補正回路１１０に設定する。
【００４０】
例えば、特定色を人間が潜在的に記憶している最も美しいと感じる色（以下、記憶色という）に色補正するためのパラメータ値が記憶されている。
【００４１】
ここで、色収束パラメータ設定回路１３０のデータテーブルに記憶されている色収束パラメータ値について説明する。
【００４２】
色差平面における記憶色などの収束させたい所定の色が存在している位置（座標）は決まっており、所定の色（記憶色など）が存在している位置（座標）を中心点とした所定の範囲（以下、補正対象範囲という）に存在する色が補正対象となる色、即ち、特定色となる。
【００４３】
特定色は記憶色などの所定の色を中心とした円形状又は楕円形状に分布しているので、色差平面上における所定の色（記憶色など）の位置（座標）を中心点とした円形又は楕円形の範囲を補正対象範囲として設定することで所望の特定色のみを精度よく補正することが可能となる。
【００４４】
例えば、図２に示すように、色差平面（縦軸を色差［Ｒ−Ｙ］、横軸を色差［Ｂ−Ｙ］とした２次元座標）において、特定色「Ａ」は、記憶色ａの位置（座標）Ｃａを中心とした円形状の範囲１０ａ、特定色「Ｂ」は、記憶色ｂの位置（座標）Ｃｂを中心とした円形状の範囲１０ｂ、特定色「Ｃ」は、記憶色ｃの位置（座標）Ｃｃを中心とした楕円形状の範囲１０ｃ、特定色「Ｄ」は、記憶色ｄの位置（座標）Ｃｄを中心とした楕円形状の範囲１０ｄ、特定色「Ｅ」は、記憶色ｅの位置（座標）Ｃｅを中心とした楕円形状の範囲１０ｅというように分布しており、記憶色ａ〜ｅに応じたそれぞれの円形状又は楕円形状の範囲が補正対象範囲１０ａ〜１０ｅとして設定される。
【００４５】
この円形状又は楕円形状の補正対象範囲は、撮影モード情報と対応づけられ、図３に示すように、円形又は楕円形の中心点座標（ｘｃ，ｙｃ）、長軸及び短軸の長さ（ａ，ｂ）、傾き（回転方向）θというパラメータ値としてデータテーブルに記憶される。
【００４６】
中心点座標（ｘｃ，ｙｃ）は、色差平面における所定の色（記憶色など）の座標データであり、色差平面の原点０を基準とし、色差［Ｂ−Ｙ］方向の距離ｘ、色差［Ｒ−Ｙ］方向の距離ｙで表される。例えば、図３（ａ）では中心点座標（ｘｃ，ｙｃ）→（０，０）となり、図３（ｂ）では中心点座標（ｘｃ，ｙｃ）→（ｘ，ｙ）となる。
【００４７】
長軸及び短軸の長さ（ａ，ｂ）は、色差平面における円形又は楕円形の径の長さを示すデータであり、図３（ｂ）に示すように、中心点座標（ｘｃ，ｙｃ）を横切る最も長い径の長さを長軸ａ、最も短い径の長さを短軸ｂとして表す。なお、図３（ａ）のように、補正対象範囲が円形である場合、長軸と短軸は同じ長さ（ａ＝ｂ）となる。
【００４８】
傾きθは、図３（ｂ）に示すように、色差平面における楕円形の傾き（回転方向）を表すデータである。なお、図３（ａ）のように補正対象範囲が円形である場合は傾き（回転方向）θはゼロとなる。
【００４９】
また、データテーブルには、補正対象範囲に関するパラメータ値（中心点座標（ｘｃ，ｙｃ）、長軸及び短軸の長さ（ａ，ｂ）、傾きθ）とともに、特定色を所定の色（記憶色など）の位置（座標）に補正するための補正量（以下、ゲイン量という）、即ち、中心点座標（ｘｃ，ｙｃ）に収束させるためのゲイン量を算出するための収束係数γが記憶される。
【００５０】
収束係数γは、様々な画像の色を評価して求めた係数値であり、次に示す数式１及び数式２に基づいて色差平面上の特定色を所定の色（記憶色など）に収束させるためのゲイン量を算出するときの係数値となる。
【００５１】
【数１】
2004297698.tif 000003
【００５２】
なお、”ｓ”、”ｂ−ｙ”、”ｒ−ｙ”は、図４に示すように、ｓ；中心点座標（ｘｃ，ｙｃ）からの直線距離、ｂ−ｙ；中心点座標（ｘｃ，ｙｃ）から色差［Ｂ−Ｙ］方向の距離、ｒ−ｙ；中心点座標（ｘｃ，ｙｃ）から色差［Ｒ−Ｙ］方向の距離である。
【数２】
2004297698.tif 000004
【００５３】
なお、ｓ；中心点座標（ｘｃ，ｙｃ）からの直線距離、γ：収束係数、ｇａｉｎ（ｓ，γ）：ゲイン量（補正量）である。
【００５４】
図５は、数式１及び数式２に基づき、中心点座標（ｘｃ，ｙｃ）からの直線距離ｓ（以下、距離ｓという）の収束係数γ乗をゲイン量ｇａｉｎ（ｓ，γ）に対応させたグラフを正規化したものであり、収束係数γの値により”０＜γ＜１”、”γ＝１”、”γ＞１”に区分される。
【００５５】
そして、各所定の色（記憶色など）に応じた収束係数γを選択・設定することにより、補正対象範囲に分布している特定色の位置（座標）に応じたゲイン量、即ち、距離ｓに応じたゲイン量ｇａｉｎ（ｓ，γ）が算出される。
【００５６】
なお、上述した数式１及び数式２は補正対象範囲が円形のときの距離ｓ及びゲイン量ｇａｉｎ（ｓ，γ）を算出する式であるが、図３（ｂ）に示すような楕円形の補正対象範囲である場合、基準となる所定の円形（以下、基準円という）を該当する楕円形に変形したときの変形率を求め、基準円における距離ｓ及びゲイン量ｇａｉｎ（ｓ，γ）の値を変形率に応じて補正する。
【００５７】
このように、データテーブルには、各撮影モードに応じて設定した特定色に対応づけした補正対象範囲（中心点座標（ｘｃ，ｙｃ）、長軸及び短軸の長さ（ａ，ｂ）、傾きθ）及び収束係数γが色収束パラメータ値として記憶されている。
【００５８】
図６は、データテーブルの一例を略示的に示したものであり、撮影モード０には、特定色「Ａ」、中心点座標（ｘｃ，ｙｃ）→（０，０）、長軸ａの距離（長さ）→５、短軸ｂの距離（長さ）→５、傾きθ→「０」、収束係数γ→「０．３」、撮影モード１には、特定色「Ｂ」、中心点座標（ｘｃ，ｙｃ）→（５，５）、長軸ａ→３、短軸ｂ→３、傾きθ→「０」、収束係数γ→「０．３」、撮影モード２には、特定色「Ｃ」、中心点座標（ｘｃ，ｙｃ）→（−２０，２０）、長軸ａ→１０、短軸ｂ→５、傾きθ→「−π／４」、収束係数γ→「０．３」、撮影モード３には、特定色「Ｄ」、中心点座標（ｘｃ，ｙｃ）→（２０，−２０）、長軸ａの距離（長さ）→１０、短軸ｂの距離（長さ）→５、傾きθ→「−π／４」、収束係数γ→「０．３」、撮影モード４には、特定色「Ｅ」、中心点座標（ｘｃ，ｙｃ）→（−２０，−２０）、長軸ａ→１０、短軸ｂ→５、傾きθ→「−π／４」、収束係数γ→「０．３」というような色収束パラメータ値が記憶される。
【００５９】
なお、データテーブルの色収束パラメータ値は変更可能であり、例えば、メモリカードなどの記録媒体からデータを取得可能な機器の場合、記録媒体（メモリカードなど）に記録されている別の色収束パラメータ値に変更したり、通信ネットワークと接続可能な機器の場合、通信ネットワークを介して取得した色収束パラメータ値に変更することができるので、ユーザの好みに応じた色や色相となるような色収束パラメータ値に変更したり、ユーザ別にカスタマイズすることも可能である。
【００６０】
特定色信号処理部１４０は、ＷＢ（ホワイトバランス）回路１４１、信号処理回路１４２などを具備している。
【００６１】
特定色信号処理部１４０のＷＢ（ホワイトバランス）回路１４１は、特定色抽出回路１０６で抽出された特定色信号（Ｒｓ［赤］／Ｇｓ［緑］／Ｂｓ［青］）のホワイトバランスを補正して信号処理回路１４２へ送出する。
【００６２】
特定色信号処理部１４０の信号処理回路１４２は、ＷＢ回路１４１から送られてくる特定色信号（Ｒｓ［赤］／Ｇｓ［緑］／Ｂｓ［青］）を輝度信号Ｙｓ及び色差信号［Ｂｓ−Ｙｓ］、色差信号［Ｒｓ−Ｙｓ］に変換し、変換した輝度信号Ｙｓを輝度補正回路１１１に送出する。
【００６３】
このような構成を備えた撮像装置１００における色補正処理の過程について図７を参照しながら説明する。
【００６４】
まず、撮影者が撮影モード選択回路１２０を介して所望の撮影モードを選択する、若しくは、撮影環境に応じて撮影モードが自動的に選択されると、選択された撮影モードに対応した撮影モード情報が装置各部（特定色抽出回路１０６、色収束パラメータ設定回路１３０、輝度補正回路１１１など）に送られる（ＳＴ１００）。
【００６５】
色収束パラメータ設定回路１３０では、撮影モード選択回路１２０から送られてくる撮影モード情報に基づき、データテーブルの中から該当する特定色の色収束パラメータ値を選択して色収束補正回路１１０に設定する（ＳＴ１１０）。
【００６６】
また、色収束パラメータ設定回路１３０以外の装置各部においても撮影モードに対応した撮影モード情報に基づいてピントやホワイトバランスなどの各種設定が自動的に行われる。
【００６７】
そして、撮影が開始されると、撮像レンズ部１０１を介して入力される被写体からの光を撮像素子１０２で電気信号に変換し、Ｓ／Ｈ回路１０３、ＡＧＣ回路１０４を経由し、Ａ／Ｄ変換回路１０５によってデジタルの映像信号（Ｒ［赤］／Ｇ［緑］／Ｂ［青］）に変換し、特定色抽出回路１０６及びＷＢ（ホワイトバランス）回路１０７に送出する。
【００６８】
特定色信号抽出回路１０６では、撮影モード選択回路１２０で選択された撮影モード情報に基づいて、Ａ／Ｄ変換回路１０５から送られてくる映像信号（Ｒ［赤］／Ｇ［緑］／Ｂ［青］）から特定色信号（Ｒｓ［赤］／Ｇｓ［緑］／Ｂｓ［青］）を抽出し、ホワイトバランスの制御量を算出してＷＢ（ホワイトバランス）回路１０７に送出するとともに、抽出した特定色信号（Ｒｓ［赤］／Ｇｓ［緑］／Ｂｓ［青］）を特定色信号処理部１４０のＷＢ（ホワイトバランス）回路１４１に送出する（ＳＴ１２０、ＳＴ１３０）。
【００６９】
ここで、まず、映像信号（Ｒ［赤］／Ｇ［緑］／Ｂ［青］）の処理過程について説明する。
【００７０】
ＷＢ回路１０７では、Ａ／Ｄ変換回路１０５から送られてくる映像信号（Ｒ［赤］／Ｇ［緑］／Ｂ［青］）の色温度を判定し、特定色信号抽出回路１０６で算出されたホワイトバランスの制御量に基づいて映像信号（Ｒ［赤］／Ｇ［緑］／Ｂ［青］）のホワイトバランスを補正して信号処理回路１０８に送出する（ＳＴ１４０）。
【００７１】
そして、信号処理回路１０８は、ホワイトバランスが補正された映像信号（Ｒ［赤］／Ｇ［緑］／Ｂ［青］）を輝度信号Ｙ及び色差信号［Ｂ−Ｙ］、色差信号［Ｒ−Ｙ］に変換し、変換した輝度信号Ｙを輝度補正回路１１１に送出すると共に、変換した色差信号［Ｂ−Ｙ］、色差信号［Ｒ−Ｙ］を色収束補正回路１１０に送出する（ＳＴ１５０）。
【００７２】
一方、上述した映像信号（Ｒ［赤］／Ｇ［緑］／Ｂ［青］）の処理と並行して実行される特定色信号（Ｒｓ［赤］／Ｇｓ［緑］／Ｂｓ［青］）の処理過程について説明する。
【００７３】
まず、特定色信号処理部１４０のＷＢ回路１４１では、特定色信号抽出回路１０６で抽出された特定色信号（Ｒｓ［赤］／Ｇｓ［緑］／Ｂｓ［青］）の色温度を判定し、特定色信号（Ｒｓ［赤］／Ｇｓ［緑］／Ｂｓ［青］）のホワイトバランスを補正して信号処理回路１４２に送出する（ＳＴ１６０）。
【００７４】
次に、特定色信号処理部１４０の信号処理回路１４２では、ホワイトバランス補正された特定色信号（Ｒｓ［赤］／Ｇｓ［緑］／Ｂｓ［青］）を輝度信号Ｙｓ及び色差信号［Ｂｓ−Ｙｓ］、色差信号［Ｒｓ−Ｙｓ］に変換し、輝度信号Ｙｓを輝度補正回路１１１に送出する（ＳＴ１７０）。
【００７５】
映像信号（Ｒ［赤］／Ｇ［緑］／Ｂ［青］）及び特定色信号（Ｒｓ［赤］／Ｇｓ［緑］／Ｂｓ［青］）の処理に続いて、色収束補正回路１１０並びに輝度補正回路１１１によって特定色の色補正処理が行われる。
【００７６】
色収束補正回路１１０では、色収束パラメータ設定回路１３０によって設定された色収束パラメータ値に基づき、該当する特定色を所定の色（記憶色など）に補正するためのゲイン量（補正量）を算出し、算出したゲイン量（補正量）によって信号処理回路１０８から送られてくる色差信号［Ｂ−Ｙ］及び色差信号［Ｒ−Ｙ］の中の該当する特定色の色収束補正処理を行い、色収束補正処理した補正色差信号［Ｂ−Ｙ］”及び補正色差信号［Ｒ−Ｙ］”を次段回路へ送出する（ＳＴ１８０、ＳＴ１９０）。
【００７７】
具体的には、まず、色収束パラメータ設定回路１３０で設定された色収束パラメータ値（中心点座標（ｘｃ，ｙｃ）、長軸及び短軸の長さ（ａ，ｂ）、傾きθ、収束係数γ）に基づき、上述した数式１及び数式２によってゲイン量ｇａｉｎ（ｓ，γ）を算出する。
【００７８】
そして、次に示す数式３に基づいて、算出したゲイン量ｇａｉｎ（ｓ，γ）と信号処理回路１０８から送られてくる色差信号［Ｂ−Ｙ］及び色差信号［Ｒ−Ｙ］を乗算処理することによって色収束補正処理が行われる。即ち、映像信号における該当の特定色が色差平面上における所定の色（記憶色など）の位置に収束することになる。
【００７９】
【数３】
［Ｂ−Ｙ］”  ＝  ｇａｉｎ（ｓ，γ）・［Ｂ−Ｙ］
［Ｒ−Ｙ］”  ＝  ｇａｉｎ（ｓ，γ）・［Ｒ−Ｙ］
【００８０】
一方、輝度補正回路１１１では、撮影モード選択回路１２０からの撮影モード情報及び特定色信号処理部１４０の信号処理回路１４２で変換された輝度信号Ｙｓに基づいて、信号処理回路１０８から送られてくる輝度信号Ｙの輝度レベルを補正し、補正した輝度信号Ｙｓ”を次段回路へ出力する（ＳＴ１８０、ＳＴ１９０）。
【００８１】
なお、輝度補正回路１１１では、撮影した映像信号（Ｒ［赤］／Ｇ［緑］／Ｂ［青］）全体（画枠全体）おける特定色の割合を算出して、算出した割合に応じて特定色の輝度レベルの補正量を変化させることも可能である。
【００８２】
例えば、ポートレートを撮影するための撮影モードにおいて、人物の肌色を補正する場合、特定色である肌色が撮影した映像（画枠）全体に占める割合を判定し、所定の割合より大きい場合は肌色の輝度レベルの補正量を大きくし、所定の割合より小さい場合に肌色の輝度レベルの補正量を小さくする。
【００８３】
このように、同じ撮影モードでも撮影状況に応じて特定色の輝度レベルの補正量を変えることで、色補正した特定色を更に好ましい色となるように補正することができる。
【００８４】
【発明の効果】
以上説明したように、撮像装置は、自動又は手動で選択された撮影モード情報に基づいて、予め記憶してある色収束パラメータ値の中から該当する特定色の色収束パラメータ値を選択して設定する。この色収束パラメータ値によって設定される補正範囲は、特定色が記憶色などの所定の色を中心とした円形状又は楕円形状に分布しているので、色差平面上における所定の色（記憶色など）の位置（座標）を中心点とした円形又は楕円形の範囲を補正範囲として設定することで特定色のみを精度よく補正することができる。
【００８５】
そして、撮影を開始すると、この色収束パラメータ値に基づき、該当する特定色を色差平面上における所定の色（記憶色など）の位置に収束させる為に必要な補正量を算出し、算出した補正量に従って映像信号の中の特定色を所定の色（記憶色など）に補正することにより補正対象外の色に影響を与えずに撮影状況や撮影する映像に応じた補正量で特定色を補正することができるという優れた効果を奏するものである。
【００８６】
また、撮影した映像信号全体（画枠全体）において特定色が占める割合を算出し、算出した割合に応じて特定色の輝度レベルの補正量を変えることにより、撮影した映像信号の特定色を撮影状況や撮影した映像に応じた好ましい色となるような輝度に補正することができるという優れた効果を奏するものである。
【図面の簡単な説明】
【図１】本発明に係る撮像装置において色補正処理するための主要部の構成を略示的に示したブロック図である。
【図２】色差平面における特定色の補正対象範囲を説明するための説明図である。
【図３】図２に示す円形及び楕円形の補正対象範囲を説明するための説明図である。
【図４】図２に示す補正対象範囲における中心点座標（ｘｃ，ｙｃ）からの直線距離ｓの算出方法について説明するための説明図である。
【図５】中心点座標（ｘｃ，ｙｃ）からの直線距離ｓ、収束係数γ、ゲイン量ｇａｉｎ（ｓ，γ）の関係を示したグラフである。
【図６】図１の撮像装置が具備しているデータテーブルの一例を示した説明図である。
【図７】図１の撮像装置による色補正処理の過程を示したフローチャートである。
【図８】従来技術の撮像装置における色補正処理の主要部の構成を略示的に示したブロック図である。
【符号の説明】
１００；撮像装置、１０１；撮像レンズ部、１０２；撮像素子（ＣＣＤなど）、１０３；Ｓ／Ｈ回路、１０４；ＡＧＣ回路、１０５；Ａ／Ｄ変換回路、１０６；特定色抽出回路、１０７；ＷＢ回路、１０８；信号処理回路、１１０；色収束補正回路、１１１；輝度補正回路、１２０；撮影モード選択回路、１３０；色収束パラメータ設定回路、１４０；特定色信号処理部、１４１；ＷＢ回路、１４２；信号処理回路
１００Ａ；撮像装置、１０１Ａ；撮像レンズ部、１０２Ａ；撮像素子（ＣＣＤなど）、１０３Ａ；Ｓ／Ｈ回路、１０４Ａ；ＡＧＣ回路、１０５Ａ；Ａ／Ｄ変換回路、１０６Ａ；特定色抽出回路、１０７Ａ；ＷＢ回路、１０８Ａ；ガンマ補正回路、１０９Ａ；信号処理回路、１１０Ａ；色差信号補正回路、１２０Ａ；撮影モード選択回路、１３０Ａ；色補正値設定回路
【図１】
2004297698.tif 000005
【図２】
2004297698.tif 000006
【図３】
2004297698.tif 000007
【図４】
2004297698.tif 000008
【図５】
2004297698.tif 000009
【図６】
2004297698.tif 000010
【図７】
2004297698.tif 000011
【図８】
2004297698.tif 000012
【手続補正書】
【提出日】平成16年4月9日(2004.4.9)
【手続補正１】
【補正対象書類名】明細書
【補正対象項目名】全文
【補正方法】変更
【補正の内容】
【特許請求の範囲】
【請求項１】
所定の撮影条件に応じて定めてある特定色の情報を含んだ撮影モード情報が設定されており、この設定してある撮影モード情報の中から所望の撮影モード情報を選択する撮影モード選択手段と、
色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、
前記撮影モード選択手段で選択した撮影モード情報に基づき、前記色収束パラメータ記憶手段の中から該当する特定色の色収束パラメータ値を選択して設定する色収束パラメータ設定手段と、
前記色収束パラメータ設定手段で設定された色収束パラメータ値に基づいて算出した補正量により映像信号の中の特定色を前記所定の色に補正する色収束補正処理手段と、
を備えた撮像装置。
【請求項２】
前記色収束パラメータ記憶手段の補正範囲設定データは、前記色差平面上における所定の色の位置を中心点とした円形又は楕円形の範囲を補正範囲として設定するデータであること
を特徴とする請求項１に記載の撮像装置。
【請求項３】
前記色収束パラメータ記憶手段は、前記色収束パラメータ値を変更する機能を備えていること
を特徴とする請求項１に記載の撮像装置。
【請求項４】
前記撮影モード選択手段は、前記撮影モード情報を撮影環境に応じて自動的に選択する機能を備えていること
を特徴とする請求項１に記載の撮像装置。
【請求項５】
所定の撮影条件に応じて定めてある特定色の情報を含んだ撮影モード情報が設定されており、この設定してある撮影モード情報の中から所望の撮影モード情報を選択する撮影モード選択手段と、
色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、
前記撮影モード選択手段で選択した撮影モード情報に基づき、前記色収束パラメータ記憶手段の中から該当する特定色の色収束パラメータ値を選択して設定する色収束パラメータ設定手段と、
前記撮影モード選択手段で選択した撮影モード情報に基づいて映像信号の中から特定色の映像信号を抽出する特定色抽出手段と、
前記特定色抽出手段で抽出した特定色の映像信号における輝度レベルに応じて前記映像信号の輝度レベルを補正する輝度補正手段と、
前記色収束パラメータ設定手段で設定された色収束パラメータ値に基づいて算出した補正量により映像信号の中の特定色を前記所定の色に補正する色収束補正処理手段と、
を備えた撮像装置。
【請求項６】
前記輝度補正手段は、前記映像信号における前記特定色の映像信号の割合を算出し、該算出した割合に応じて該特定色の映像信号の輝度レベルを補正する機能を備えていること
を特徴とする請求項５に記載の撮像装置。
【請求項７】前記色収束パラメータ記憶手段の補正範囲設定データは、前記色差平面上における所定の色の位置を中心点とした円形又は楕円形の範囲を補正範囲として設定するデータであること
を特徴とする請求項５に記載の撮像装置。
【請求項８】前記色収束パラメータ記憶手段は、前記色収束パラメータ値を変更する機能を備えていること
を特徴とする請求項５に記載の撮像装置。
【請求項９】前記撮影モード選択手段は、前記撮影モード情報を撮影環境に応じて自動的に選択する機能を備えていること
を特徴とする請求項５に記載の撮像装置。
【請求項１０】所定の撮影条件に応じて定めてある特定色の情報を含んだ撮影モード情報の中から所望の撮影モード情報を選択する撮影モード選択ステップと、
色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段の中から、前記撮影モード選択ステップで選択した撮影モード情報に基づき、該当する特定色の色収束パラメータ値を選択して設定する色収束パラメータ設定ステップと、
前記色収束パラメータ設定ステップで設定された色収束パラメータ値に基づいて算出した補正量により映像信号の中の特定色を前記所定の色に補正する色収束補正処理ステップと、
を備えた撮像方法。
【発明の詳細な説明】
【０００１】
【発明の属する技術分野】
本発明は、撮像装置及び撮像方法に関するものである。詳しくは、映像信号における特定色を記憶色など所定の色に補正することができる撮像装置及び撮像方法に関するものである。
【０００２】
【従来の技術】
従来技術において、撮影する場面に応じた撮影モード（例えば、海、夜景、ポートレート、風景など）を選択することで、ピントやホワイトバランスなどの各種設定を自動的に行い、映像信号における特定色を撮影する場面に適した所定の色に補正することができるデジタルカメラなどの装置がある。
【０００３】
また、このような映像信号における特定色を補正できる装置において、特定の色を人間が潜在的に記憶している最も美しいと感じる色、いわゆる記憶色に補正する画像処理装置などが考案されている。（例えば、特許文献１参照。）。
【０００４】
【特許文献１】
特開２００１−２９２３９０号公報（第３−５頁、図５）
【０００５】
このような装置では、例えば、青空を含んだ風景を撮影した場合、撮影した映像を見るときには、実際に見た青空の色よりも鮮やかな色彩の青色を想起することが多いため、実際に撮影した映像の青色（特定色）を記憶色の青色になるように補正を行っている。
【０００６】
また、撮影した映像信号から補正対象となる特定色の映像信号を抽出し、抽出した特定色の映像信号に基づいて色の補正量を算出し、算出した補正量に基づいて補正対象となる特定色を補正することができる撮像装置が本出願人によって出願されている（特願２００３−８８０６０号参照）。
【０００７】
ここで、上述の本出願人によって出願されている撮像装置における色補正処理の動作概要について図８を参照しながら説明する。
【０００８】
図８は、撮像装置における色信号補正処理を行うための主要部の概略構成を示したブロック図であり、撮像レンズ部１０１Ａ、撮像素子１０２Ａ、Ｓ／Ｈ（Ｓａｍｐｌｅ／Ｈｏｌｄ）回路１０３Ａ、ＡＧＣ（Ａｕｔｏｍａｔｉｃ  Ｇａｉｎ  Ｃｏｎｔｒｏｌ）回路１０４Ａ、Ａ／Ｄ（Ａｎａｌｏｇ／Ｄｉｇｉｔａｌ）変換回路１０５Ａ、特定色抽出回路１０６Ａ、ＷＢ（ホワイトバランス）回路１０７Ａ、ガンマ補正回路１０８Ａ、信号処理回路１０９Ａ、色差信号補正回路１１０Ａ、撮影モード選択回路１２０Ａ、色補正値設定部１３０Ａなどを備えた構成となっている。
【０００９】
まず、撮影モード選択回路１２０Ａで撮影モードを選択し、特定色信号抽出回路１０６Ａがこの撮影モードに応じた撮影モード情報に基づいて映像信号（Ｒ［赤］／Ｇ［緑］／Ｂ［青］）の中から特定色の映像信号である特定色信号（Ｒs［赤］／Ｇs［緑］／Ｂs［青］）を抽出し、特定色信号処理部１４０ＡのＷＢ回路１４１Ａ及びガンマ補正回路１４２Ａでホワイトバランス及び階調の補正がなされ、信号処理回路１４３Ａによって、輝度信号Ｙｓ及び色差信号［Ｂｓ−Ｙｓ］、色差信号［Ｒｓ−Ｙｓ］に変換される。
【００１０】
次に、特定色信号処理部１４０Ａの色差信号処理回路１４４Ａでは、信号処理回路１４３Ａから送られてくる色差信号［Ｂｓ−Ｙｓ］及び色差信号［Ｒｓ−Ｙｓ］から色差データの検出を行い、検出した色差データを色補正値設定回路１３０Ａに送出する。
【００１１】
次に、色補正値設定回路１３０Ａでは、撮影モード選択回路１２０Ａからの撮影モード情報に基づいて、補正対象となる特定色を判別し、ルックアップテーブルから該当する特定色の補正基準データを読み出し、読み出した特定色の補正基準データと色差信号処理回路１４４Ａから送られてくる色差データに基づいて、特定色を所定の色（記憶色など）に補正するための色補正値を算出する。
【００１２】
そして、色差信号補正回路１１０Ａが色補正値設定回路１３０Ａで算出した色補正値に基づいて映像信号（Ｒ［赤］／Ｇ［緑］／Ｂ［青］）の特定色を所定の色（記憶色など）に補正する。
【００１３】
このようにして撮影モードに応じて映像信号の特定色を所定の色（記憶色など）に色補正してイメージ通りの色で映像を再現している。
【００１４】
【発明が解決しようとする課題】
しかしながら、上述した撮像装置では、色差信号補正回路１１０によって、映像信号（Ｒ［赤］／Ｇ［緑］／Ｂ［青］）の特定色を所定の色（記憶色など）に補正するとき、色差平面（縦軸を色差［Ｒ−Ｙ］、横軸を色差［Ｂ−Ｙ］とした２次元座標）において、補正対象となる特定色と同じ象限に存在している別の色、即ち、補正対象外の色に影響を与えてしまうことがあるという問題を有している。
【００１５】
従って、映像信号の特定色を色補正するとき、補正対象以外の色に影響を与えずに、撮影状況や撮影する映像に応じて色補正量を変化させることができる撮像装置及び撮像方法を提供することに解決しなければならない課題を有する。
【００１６】
【課題を解決するための手段】
前記課題を解決するため、本発明に係る撮像装置及び撮像方法は次のような構成にすることである。
【００１７】
（１）所定の撮影条件に応じて定めてある特定色の情報を含んだ撮影モード情報が設定されており、この設定してある撮影モード情報の中から所望の撮影モード情報を選択する撮影モード選択手段と、色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、前記撮影モード選択手段で選択した撮影モード情報に基づき、前記色収束パラメータ記憶手段の中から該当する特定色の色収束パラメータ値を選択して設定する色収束パラメータ設定手段と、前記色収束パラメータ設定手段で設定された色収束パラメータ値に基づいて算出した補正量により映像信号の中の特定色を前記所定の色に補正する色収束補正処理手段と、を備えた撮像装置。
（２）前記色収束パラメータ記憶手段の補正範囲設定データは、前記色差平面上における所定の色の位置を中心点とした円形又は楕円形の範囲を補正範囲として設定するデータであることを特徴とする（１）に記載の撮像装置。
（３）前記色収束パラメータ記憶手段は、前記色収束パラメータ値を変更する機能を備えていることを特徴とする（１）に記載の撮像装置。
（４）前記撮影モード選択手段は、前記撮影モード情報を撮影環境に応じて自動的に選択する機能を備えていることを特徴とする（１）に記載の撮像装置。
【００１８】
（５）所定の撮影条件に応じて定めてある特定色の情報を含んだ撮影モード情報が設定されており、この設定してある撮影モード情報の中から所望の撮影モード情報を選択する撮影モード選択手段と、色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段と、前記撮影モード選択手段で選択した撮影モード情報に基づき、前記色収束パラメータ記憶手段の中から該当する特定色の色収束パラメータ値を選択して設定する色収束パラメータ設定手段と、前記撮影モード選択手段で選択した撮影モード情報に基づいて映像信号の中から特定色の映像信号を抽出する特定色抽出手段と、前記特定色抽出手段で抽出した特定色の映像信号における輝度レベルに応じて前記映像信号の輝度レベルを補正する輝度補正手段と、前記色収束パラメータ設定手段で設定された色収束パラメータ値に基づいて算出した補正量により映像信号の中の特定色を前記所定の色に補正する色収束補正処理手段と、を備えた撮像装置。
（６）前記輝度補正手段は、前記映像信号における前記特定色の映像信号の割合を算出し、該算出した割合に応じて該特定色の映像信号の輝度レベルを補正する機能を備えていることを特徴とする（５）に記載の撮像装置。
（７）前記色収束パラメータ記憶手段の補正範囲設定データは、前記色差平面上における所定の色の位置を中心点とした円形又は楕円形の範囲を補正範囲として設定するデータであることを特徴とする（５）に記載の撮像装置。
（８）前記色収束パラメータ記憶手段は、前記色収束パラメータ値を変更する機能を備えていることを特徴とする（５）に記載の撮像装置。
（９）前記撮影モード選択手段は、前記撮影モード情報を撮影環境に応じて自動的に選択する機能を備えていることを特徴とする（５）に記載の撮像装置。
【００１９】
（１０）所定の撮影条件に応じて定めてある特定色の情報を含んだ撮影モード情報の中から所望の撮影モード情報を選択する撮影モード選択ステップと、色差平面上における所定の色の位置を示す位置データと前記所定の色の位置を中心点とした所定の範囲を補正範囲として設定するための補正範囲設定データと前記補正範囲に該当する特定色を前記所定の色を示す位置に収束させるための収束係数データとを含んだ色収束パラメータ値が記憶してある色収束パラメータ記憶手段の中から、前記撮影モード選択ステップで選択した撮影モード情報に基づき、該当する特定色の色収束パラメータ値を選択して設定する色収束パラメータ設定ステップと、前記色収束パラメータ設定ステップで設定された色収束パラメータ値に基づいて算出した補正量により映像信号の中の特定色を前記所定の色に補正する色収束補正処理ステップと、を備えた撮像方法。
【００２０】
このような構成により、選択した撮影モード情報に基づいて、色収束パラメータ記憶手段の中から該当する特定色の色収束パラメータ値を選択して設定する。そして、この色収束パラメータ値に基づき、該当する特定色を色差平面上における所定の色（記憶色など）の位置に収束させる為に必要な補正量を算出し、算出した補正量に従って映像信号の中の特定色を所定の色（記憶色など）に補正することによって、補正対象外の色に影響を与えずに撮影状況や撮影する映像に応じた補正量で特定色を補正することができる。
【００２１】
また、特定色の映像信号における輝度レベルに応じて映像信号の輝度レベルを補正する、又、映像信号における特定色の映像信号の割合を算出し、算出した割合に応じて特定色の輝度レベルを補正するので、該当する特定色の輝度を撮影状況や撮影する映像に応じて補正することができる。
【００２２】
【発明の実施の形態】
次に、本発明に係る撮像装置及び撮像方法における実施の形態について図面を参照して説明する。但し、図面は専ら解説のためのものであって、本発明の技術的範囲を限定するものではない。
【００２３】
図１は、撮像装置において、色信号補正処理を行うための主要部の概略構成を示したブロック図であり、  撮像レンズ部１０１、撮像素子１０２、Ｓ／Ｈ（Ｓａｍｐｌｅ／Ｈｏｌｄ）回路１０３、ＡＧＣ（Ａｕｔｏｍａｔｉｃ  Ｇａｉｎ  Ｃｏｎｔｒｏｌ）回路１０４、Ａ／Ｄ（Ａｎａｌｏｇ／Ｄｉｇｉｔａｌ）変換回路１０５、特定色抽出回路１０６、ＷＢ（ホワイトバランス）回路１０７、信号処理回路１０８、色収束補正回路１１０、輝度補正回路１１１、撮影モード選択回路１２０、色収束パラメータ設定回路１３０、特定色信号処理部１４０などを備えている。
【００２４】
撮像レンズ部１０１は、被写体からの光を取り込んで撮像素子１０２へ送る。
【００２５】
撮像素子１０２は、光を電気信号に変換する複数個の画素（例えば、ＣＣＤ（Ｃｈａｒｇｅ  Ｃｏｕｐｌｅｄ  Ｄｅｖｉｃｅ）など）が配列されており、各画素によって撮像レンズ部１０１を通過してくる被写体からの光を電気信号に変換し、アナログ映像信号としてＳ／Ｈ回路１０３に送出する。
【００２６】
Ｓ／Ｈ回路１０３は、撮像素子１０２から送られてくるアナログ映像信号をサンプリングしてＡＧＣ回路１０４に送出し、サンプリングした値をＡ／Ｄ変換回路１０５の処理が終了するまで保持し、この処理が終了すると次のサンプリング値をＡＧＣ回路１０４に送出する。
【００２７】
ＡＧＣ回路１０４は、Ｓ／Ｈ回路１０３でサンプリングされたアナログ映像信号を増幅して、Ａ／Ｄ変換回路１０５へ送出する。
【００２８】
Ａ／Ｄ変換回路１０５は、ＡＧＣ回路１０４で増幅されたアナログ映像信号をデジタルの映像信号（Ｒ［赤］／Ｇ［緑］／Ｂ［青］）に変換して特定色信号抽出回路１０６及びＷＢ回路１０７へ送出する。
【００２９】
特定色抽出回路１０６は、後述する撮影モード選択回路１２０からの撮影モード情報に基づいて、Ａ／Ｄ変換回路１０５から送られてくる映像信号（Ｒ［赤］／Ｇ［緑］／Ｂ［青］）の中から、色補正の対象とする特定色の映像信号（以下、特定色信号（Ｒs［赤］／Ｇs［緑］／Ｂs［青］）という）を抽出し、ホワイトバランスの制御量を算出してＷＢ回路１０７に送出し、また、抽出した特定色信号（Ｒs［赤］／Ｇs［緑］／Ｂs［青］）を特定色信号処理部１４０のＷＢ回路１４１に送出する。
【００３０】
なお、特定色抽出回路１０６は、特定色の映像信号を抽出するとき、映像信号（Ｒ［赤］／Ｇ［緑］／Ｂ［青］）の輝度レベルに応じて特定色の抽出範囲を変更して特定色の映像信号の検出を行う。
【００３１】
ＷＢ（ホワイトバランス）回路１０７は、特定色抽出回路１０６で算出された制御量に従って、Ａ／Ｄ変換回路１０５から送られてくる映像信号（Ｒ［赤］／Ｇ［緑］／Ｂ［青］）のホワイトバランスの補正を行い、信号処理回路１０８へ送出する。
【００３２】
信号処理回路１０８は、ＷＢ回路１０７から送られてくる映像信号（Ｒ［赤］／Ｇ［緑］／Ｂ［青］）を輝度信号Ｙ及び色差信号［Ｂ−Ｙ］、色差信号［Ｒ−Ｙ］に変換する。そして、変換した色差信号［Ｂ−Ｙ］、色差信号［Ｒ−Ｙ］を色収束補正回路１１０に送出し、また、変換した輝度信号Ｙを輝度補正回路１１１に送出する。
【００３３】
色収束補正回路１１０は、後述する色収束パラメータ設定回路１３０によって設定された色収束パラメータ値に基づいて、該当する特定色を所定の色（記憶色など）に補正するための補正量を算出し、算出した補正量に従って信号処理回路１０８から送られてくる色差信号［Ｂ−Ｙ］及び色差信号［Ｒ−Ｙ］の中の該当する特定色の色収束補正処理を行い、色収束補正処理した補正色差信号［Ｂ−Ｙ］"及び補正色差信号［Ｒ−Ｙ］"を次段回路へ送出する。
【００３４】
輝度補正回路１１１は、撮影モード選択回路１２０からの撮像モード情報と、特定色信号処理部１４０の信号処理回路１４２で変換された特定色の輝度信号Ｙsとに基づいて、信号処理回路１０８から送られてくる輝度信号Ｙの輝度レベルを補正し、補正した輝度信号Ｙ"を次段回路へ送出する。
【００３５】
また、輝度補正回路１１１は、撮影した映像信号（Ｒ［赤］／Ｇ［緑］／Ｂ［青］）全体（画枠全体）における特定色の割合を算出して、算出した割合に応じて該当する特定色の輝度レベルを補正する。
【００３６】
撮影モード選択回路１２０は、予め撮影する条件や場面など（例えば、海、夜景、ポートレート、風景など）に応じて複数の撮影モードが設定されており、所望の撮影モードを選択することができる。
【００３７】
そして、撮影モードが選択されると、選択された撮影モードに対応した撮影モード情報を特定色抽出回路１０６、色収束パラメータ設定回路１３０、輝度補正回路１１１など装置各部に送出する。
【００３８】
撮影モード情報には、撮影モードに応じて定められた色補正の対象となる特定色の情報、ピントやホワイトバランスなどの各種設定を自動的に行うために必要な情報などが含まれている。
【００３９】
なお、撮影モード選択回路１２０は、周囲の明るさや光源の状態など撮影環境に応じて適切な撮影モードを自動的に選択できるようにすることも可能であり、自動選択と手動選択を切り換えるようにすることもできる。
【００４０】
色収束パラメータ設定回路１３０は、各撮影モードに応じた特定色を所定の色に収束させて補正するための色収束パラメータ値が記憶してあるデータテーブルを備えており、撮影モード選択回路１２０からの撮影モード情報に基づいて、データテーブルの中から、該当する特定色の色収束パラメータ値を選択して色収束補正回路１１０に設定する。
【００４１】
例えば、特定色を人間が潜在的に記憶している最も美しいと感じる色（以下、記憶色という）に色補正するためのパラメータ値が記憶されている。
【００４２】
ここで、色収束パラメータ設定回路１３０のデータテーブルに記憶されている色収束パラメータ値について説明する。
【００４３】
色差平面における記憶色などの収束させたい所定の色が存在している位置（座標）は決まっており、所定の色（記憶色など）が存在している位置（座標）を中心点とした所定の範囲（以下、補正対象範囲という）に存在する色が補正対象となる色、即ち、特定色となる。
【００４４】
特定色は記憶色などの所定の色を中心とした円形状又は楕円形状に分布しているので、色差平面上における所定の色（記憶色など）の位置（座標）を中心点とした円形又は楕円形の範囲を補正対象範囲として設定することで所望の特定色のみを精度よく補正することが可能となる。
【００４５】
例えば、図２に示すように、色差平面（縦軸を色差［Ｒ−Ｙ］、横軸を色差［Ｂ−Ｙ］とした２次元座標）において、特定色「Ａ」は、記憶色ａの位置（座標）Ｃａを中心とした円形状の範囲１０ａ、特定色「Ｂ」は、記憶色ｂの位置（座標）Ｃｂを中心とした円形状の範囲１０ｂ、特定色「Ｃ」は、記憶色ｃの位置（座標）Ｃｃを中心とした楕円形状の範囲１０ｃ、特定色「Ｄ」は、記憶色ｄの位置（座標）Ｃｄを中心とした楕円形状の範囲１０ｄ、特定色「Ｅ」は、記憶色ｅの位置（座標）Ｃｅを中心とした楕円形状の範囲１０ｅというように分布しており、記憶色ａ〜ｅに応じたそれぞれの円形状又は楕円形状の範囲が補正対象範囲１０ａ〜１０ｅとして設定される。
【００４６】
この円形状又は楕円形状の補正対象範囲は、撮影モード情報と対応づけられ、図３に示すように、円形又は楕円形の中心点座標（ｘc,ｙc）、長軸及び短軸の長さ（ａ,ｂ）、傾き（回転方向）θというパラメータ値としてデータテーブルに記憶される。
【００４７】
中心点座標（ｘc,ｙc）は、色差平面における所定の色（記憶色など）の座標データであり、色差平面の原点０を基準とし、色差［Ｂ−Ｙ］方向の距離ｘ、色差［Ｒ−Ｙ］方向の距離ｙで表される。例えば、図３（ａ）では中心点座標（ｘc,ｙc）→（０,０）となり、図３（ｂ）では中心点座標（ｘc,ｙc）→（ｘ,ｙ）となる。
【００４８】
長軸及び短軸の長さ（ａ,ｂ）は、色差平面における円形又は楕円形の径の長さを示すデータであり、図３（ｂ）に示すように、中心点座標（ｘc,ｙc）を横切る最も長い径の長さを長軸ａ、最も短い径の長さを短軸ｂとして表す。なお、図３（ａ）のように、補正対象範囲が円形である場合、長軸と短軸は同じ長さ（ａ＝ｂ）となる。
【００４９】
傾きθは、図３（ｂ）に示すように、色差平面における楕円形の傾き（回転方向）を表すデータである。なお、図３（ａ）のように補正対象範囲が円形である場合は傾き（回転方向）θはゼロとなる。
【００５０】
また、データテーブルには、補正対象範囲に関するパラメータ値（中心点座標（ｘc,ｙc）、長軸及び短軸の長さ（ａ,ｂ）、傾きθ）とともに、特定色を所定の色（記憶色など）の位置（座標）に補正するための補正量（以下、ゲイン量という）、即ち、中心点座標（ｘc,ｙc）に収束させるためのゲイン量を算出するための収束係数γが記憶される。
【００５１】
収束係数γは、様々な画像の色を評価して求めた係数値であり、次に示す数式１及び数式２に基づいて色差平面上の特定色を所定の色（記憶色など）に収束させるためのゲイン量を算出するときの係数値となる。
【００５２】
【数１】
2004297698.tif 000013
【００５３】
なお、”ｓ”、”ｂ−ｙ”、”ｒ−ｙ”は、図４に示すように、ｓ；中心点座標（ｘc,ｙc）からの直線距離、ｂ−ｙ；中心点座標（ｘc,ｙc）から色差［Ｂ−Ｙ］方向の距離、ｒ−ｙ；中心点座標（ｘc,ｙc）から色差[Ｒ−Ｙ]方向の距離である。
【数２】
2004297698.tif 000014
【００５４】
なお、ｓ；中心点座標（ｘc,ｙc）からの直線距離、γ：収束係数、ｇａｉｎ（ｓ,γ）：ゲイン量（補正量）である。
【００５５】
図５は、数式１及び数式２に基づき、中心点座標（ｘc,ｙc）からの直線距離ｓ（以下、距離ｓという）の収束係数γ乗をゲイン量ｇａｉｎ（ｓ,γ）に対応させたグラフを正規化したものであり、収束係数γの値により”０＜γ＜１”、”γ＝１”、”γ＞１”に区分される。
【００５６】
そして、各所定の色（記憶色など）に応じた収束係数γを選択・設定することにより、補正対象範囲に分布している特定色の位置（座標）に応じたゲイン量、即ち、距離ｓに応じたゲイン量ｇａｉｎ（ｓ,γ）が算出される。
【００５７】
なお、上述した数式１及び数式２は補正対象範囲が円形のときの距離ｓ及びゲイン量ｇａｉｎ（ｓ,γ）を算出する式であるが、図３（ｂ）に示すような楕円形の補正対象範囲である場合、基準となる所定の円形（以下、基準円という）を該当する楕円形に変形したときの変形率を求め、基準円における距離ｓ及びゲイン量ｇａｉｎ（ｓ,γ）の値を変形率に応じて補正する。
【００５８】
このように、データテーブルには、各撮影モードに応じて設定した特定色に対応づけした補正対象範囲（中心点座標（ｘc,ｙc）、長軸及び短軸の長さ（ａ,ｂ）、傾きθ）及び収束係数γが色収束パラメータ値として記憶されている。
【００５９】
図６は、データテーブルの一例を略示的に示したものであり、撮影モード０には、特定色「Ａ」、中心点座標（ｘc,ｙc）→（０,０）、長軸ａの距離（長さ）→５、短軸ｂの距離（長さ）→５、傾きθ→「０」、収束係数γ→「０．３」、撮影モード１には、特定色「Ｂ」、中心点座標（ｘc,ｙc）→（２０,２０）、長軸ａ→３、短軸ｂ→３、傾きθ→「０」、収束係数γ→「０．３」、撮影モード２には、特定色「Ｃ」、中心点座標（ｘc,ｙc）→（−２０,２０）、長軸ａ→１０、短軸ｂ→５、傾きθ→「−π／４」、収束係数γ→「０．３」、撮影モード３には、特定色「Ｄ」、中心点座標（ｘc,ｙc）→（２０,−２０）、長軸ａの距離（長さ）→１０、短軸ｂの距離（長さ）→５、傾きθ→「−π／４」、収束係数γ→「０．３」、撮影モード４には、特定色「Ｅ」、中心点座標（ｘc,ｙc）→（−２０,−２０）、長軸ａ→１０、短軸ｂ→５、傾きθ→「−３π／４」、収束係数γ→「０．３」というような色収束パラメータ値が記憶される。
【００６０】
なお、データテーブルの色収束パラメータ値は変更可能であり、例えば、メモリカードなどの記録媒体からデータを取得可能な機器の場合、記録媒体（メモリカードなど）に記録されている別の色収束パラメータ値に変更したり、通信ネットワークと接続可能な機器の場合、通信ネットワークを介して取得した色収束パラメータ値に変更することができるので、ユーザの好みに応じた色や色相となるような色収束パラメータ値に変更したり、ユーザ別にカスタマイズすることも可能である。
【００６１】
特定色信号処理部１４０は、ＷＢ（ホワイトバランス）回路１４１、信号処理回路１４２などを具備している。
【００６２】
特定色信号処理部１４０のＷＢ（ホワイトバランス）回路１４１は、特定色抽出回路１０６で抽出された特定色信号（Ｒs［赤］／Ｇs［緑］／Ｂs［青］）のホワイトバランスを補正して信号処理回路１４２へ送出する。
【００６３】
特定色信号処理部１４０の信号処理回路１４２は、ＷＢ回路１４１から送られてくる特定色信号（Ｒs［赤］／Ｇs［緑］／Ｂs［青］）を輝度信号Ｙs及び色差信号［Ｂs−Ｙs］、色差信号［Ｒs−Ｙs］に変換し、変換した輝度信号Ｙsを輝度補正回路１１１に送出する。
【００６４】
このような構成を備えた撮像装置１００における色補正処理の過程について図７を参照しながら説明する。
【００６５】
まず、撮影者が撮影モード選択回路１２０を介して所望の撮影モードを選択する、若しくは、撮影環境に応じて撮影モードが自動的に選択されると、選択された撮影モードに対応した撮影モード情報が装置各部（特定色抽出回路１０６、色収束パラメータ設定回路１３０、輝度補正回路１１１など）に送られる（ＳＴ１００）。
【００６６】
色収束パラメータ設定回路１３０では、撮影モード選択回路１２０から送られてくる撮影モード情報に基づき、データテーブルの中から該当する特定色の色収束パラメータ値を選択して色収束補正回路１１０に設定する（ＳＴ１１０）。
【００６７】
また、色収束パラメータ設定回路１３０以外の装置各部においても撮影モードに対応した撮影モード情報に基づいてピントやホワイトバランスなどの各種設定が自動的に行われる。
【００６８】
そして、撮影が開始されると、撮像レンズ部１０１を介して入力される被写体からの光を撮像素子１０２で電気信号に変換し、Ｓ／Ｈ回路１０３、ＡＧＣ回路１０４を経由し、Ａ／Ｄ変換回路１０５によってデジタルの映像信号（Ｒ［赤］／Ｇ［緑］／Ｂ［青］）に変換し、特定色抽出回路１０６及びＷＢ（ホワイトバランス）回路１０７に送出する。
【００６９】
特定色信号抽出回路１０６では、撮影モード選択回路１２０で選択された撮影モード情報に基づいて、Ａ／Ｄ変換回路１０５から送られてくる映像信号（Ｒ［赤］／Ｇ［緑］／Ｂ［青］）から特定色信号（Ｒs［赤］／Ｇs［緑］／Ｂs［青］）を抽出し、ホワイトバランスの制御量を算出してＷＢ（ホワイトバランス）回路１０７に送出するとともに、抽出した特定色信号（Ｒs［赤］／Ｇs［緑］／Ｂs［青］）を特定色信号処理部１４０のＷＢ（ホワイトバランス）回路１４１に送出する（ＳＴ１２０、ＳＴ１３０）。
【００７０】
ここで、まず、映像信号（Ｒ［赤］／Ｇ［緑］／Ｂ［青］）の処理過程について説明する。
【００７１】
ＷＢ回路１０７では、Ａ／Ｄ変換回路１０５から送られてくる映像信号（Ｒ［赤］／Ｇ［緑］／Ｂ［青］）の色温度を判定し、特定色信号抽出回路１０６で算出されたホワイトバランスの制御量に基づいて映像信号（Ｒ［赤］／Ｇ［緑］／Ｂ［青］）のホワイトバランスを補正して信号処理回路１０８に送出する（ＳＴ１４０）。
【００７２】
そして、信号処理回路１０８は、ホワイトバランスが補正された映像信号（Ｒ［赤］／Ｇ［緑］／Ｂ［青］）を輝度信号Ｙ及び色差信号［Ｂ−Ｙ］、色差信号［Ｒ−Ｙ］に変換し、変換した輝度信号Ｙを輝度補正回路１１１に送出すると共に、変換した色差信号［Ｂ−Ｙ］、色差信号［Ｒ−Ｙ］を色収束補正回路１１０に送出する（ＳＴ１５０）。
【００７３】
一方、上述した映像信号（Ｒ［赤］／Ｇ［緑］／Ｂ［青］）の処理と並行して実行される特定色信号（Ｒs［赤］／Ｇs［緑］／Ｂs［青］）の処理過程について説明する。
【００７４】
まず、特定色信号処理部１４０のＷＢ回路１４１では、特定色信号抽出回路１０６で抽出された特定色信号（Ｒs［赤］／Ｇs［緑］／Ｂs［青］）の色温度を判定し、特定色信号（Ｒs［赤］／Ｇs［緑］／Ｂs［青］）のホワイトバランスを補正して信号処理回路１４２に送出する（ＳＴ１６０）。
【００７５】
次に、特定色信号処理部１４０の信号処理回路１４２では、ホワイトバランス補正された特定色信号（Ｒs［赤］／Ｇs［緑］／Ｂs［青］）を輝度信号Ｙｓ及び色差信号［Ｂｓ−Ｙｓ］、色差信号［Ｒｓ−Ｙｓ］に変換し、輝度信号Ｙｓを輝度補正回路１１１に送出する（ＳＴ１７０）。
【００７６】
映像信号（Ｒ［赤］／Ｇ［緑］／Ｂ［青］）及び特定色信号（Ｒs［赤］／Ｇs［緑］／Ｂs［青］）の処理に続いて、色収束補正回路１１０並びに輝度補正回路１１１によって特定色の色補正処理が行われる。
【００７７】
色収束補正回路１１０では、色収束パラメータ設定回路１３０によって設定された色収束パラメータ値に基づき、該当する特定色を所定の色（記憶色など）に補正するためのゲイン量（補正量）を算出し、算出したゲイン量（補正量）によって信号処理回路１０８から送られてくる色差信号［Ｂ−Ｙ］及び色差信号［Ｒ−Ｙ］の中の該当する特定色の色収束補正処理を行い、色収束補正処理した補正色差信号［Ｂ−Ｙ］"及び補正色差信号［Ｒ−Ｙ］"を次段回路へ送出する（ＳＴ１８０、ＳＴ１９０）。
【００７８】
具体的には、まず、色収束パラメータ設定回路１３０で設定された色収束パラメータ値（中心点座標（ｘc,ｙc）、長軸及び短軸の長さ（ａ,ｂ）、傾きθ、収束係数γ）に基づき、上述した数式１及び数式２によってゲイン量ｇａｉｎ(ｓ,γ)を算出する。
【００７９】
そして、次に示す数式３に基づいて、算出したゲイン量ｇａｉｎ(ｓ,γ)と信号処理回路１０８から送られてくる色差信号［Ｂ−Ｙ］及び色差信号［Ｒ−Ｙ］を乗算処理することによって色収束補正処理が行われる。即ち、映像信号における該当の特定色が色差平面上における所定の色（記憶色など）の位置に収束することになる。
【００８０】
【数３】
［Ｂ−Ｙ］" ＝ ｇａｉｎ(ｓ,γ)・[Ｂ−Ｙ]
［Ｒ−Ｙ］" ＝ ｇａｉｎ(ｓ,γ)・[Ｒ−Ｙ]
【００８１】
一方、輝度補正回路１１１では、撮影モード選択回路１２０からの撮影モード情報及び特定色信号処理部１４０の信号処理回路１４２で変換された輝度信号Ｙｓに基づいて、信号処理回路１０８から送られてくる輝度信号Ｙの輝度レベルを補正し、補正した輝度信号Ｙｓ"を次段回路へ出力する（ＳＴ１８０、ＳＴ１９０）。
【００８２】
なお、輝度補正回路１１１では、撮影した映像信号（Ｒ［赤］／Ｇ［緑］／Ｂ［青］）全体（画枠全体）おける特定色の割合を算出して、算出した割合に応じて特定色の輝度レベルの補正量を変化させることも可能である。
【００８３】
例えば、ポートレートを撮影するための撮影モードにおいて、人物の肌色を補正する場合、特定色である肌色が撮影した映像（画枠）全体に占める割合を判定し、所定の割合より大きい場合は肌色の輝度レベルの補正量を大きくし、所定の割合より小さい場合に肌色の輝度レベルの補正量を小さくする。
【００８４】
このように、同じ撮影モードでも撮影状況に応じて特定色の輝度レベルの補正量を変えることで、色補正した特定色を更に好ましい色となるように補正することができる。
【００８５】
【発明の効果】
以上説明したように、自動又は手動で選択された撮影モード情報に基づいて、予め記憶してある色収束パラメータ値の中から該当する特定色の色収束パラメータ値を選択して設定する。この色収束パラメータ値によって設定される補正範囲は、特定色が記憶色などの所定の色を中心とした円形状又は楕円形状に分布しているので、色差平面上における所定の色（記憶色など）の位置（座標）を中心点とした円形又は楕円形の範囲を補正範囲として設定することで特定色のみを精度よく補正することができる。
【００８６】
そして、撮影を開始すると、この色収束パラメータ値に基づき、該当する特定色を色差平面上における所定の色（記憶色など）の位置に収束させる為に必要な補正量を算出し、算出した補正量に従って映像信号の中の特定色を所定の色（記憶色など）に補正することにより補正対象外の色に影響を与えずに撮影状況や撮影する映像に応じた補正量で特定色を補正することができるという優れた効果を奏するものである。
【００８７】
また、撮影した映像信号全体（画枠全体）において特定色が占める割合を算出し、算出した割合に応じて特定色の輝度レベルの補正量を変えることにより、撮影した映像信号の特定色を撮影状況や撮影した映像に応じた好ましい色となるような輝度に補正することができるという優れた効果を奏するものである。
【図面の簡単な説明】
【図１】本発明に係る撮像装置において色補正処理するための主要部の構成を略示的に示したブロック図である。
【図２】色差平面における特定色の補正対象範囲を説明するための説明図である。
【図３】図２に示す円形及び楕円形の補正対象範囲を説明するための説明図である。
【図４】図２に示す補正対象範囲における中心点座標（ｘc,ｙc）からの直線距離ｓの算出方法について説明するための説明図である。
【図５】中心点座標（ｘc,ｙc）からの直線距離ｓ、収束係数γ、ゲイン量ｇａｉｎ（ｓ,γ）の関係を示したグラフである。
【図６】図１の撮像装置が具備しているデータテーブルの一例を示した説明図である。
【図７】図１の撮像装置による色補正処理の過程を示したフローチャートである。
【図８】従来技術の撮像装置における色補正処理の主要部の構成を略示的に示したブロック図である。
【符号の説明】
１００；撮像装置、１０１；撮像レンズ部、１０２；撮像素子（ＣＣＤなど）、１０３；Ｓ／Ｈ回路、１０４；ＡＧＣ回路、１０５；Ａ／Ｄ変換回路、１０６；特定色抽出回路、１０７；ＷＢ回路、１０８；信号処理回路、１１０；色収束補正回路、１１１；輝度補正回路、１２０；撮影モード選択回路、１３０；色収束パラメータ設定回路、１４０；特定色信号処理部、１４１；ＷＢ回路、１４２；信号処理回路
１００Ａ；撮像装置、１０１Ａ；撮像レンズ部、１０２Ａ；撮像素子（ＣＣＤなど）、１０３Ａ；Ｓ／Ｈ回路、１０４Ａ；ＡＧＣ回路、１０５Ａ；Ａ／Ｄ変換回路、１０６Ａ；特定色抽出回路、１０７Ａ；ＷＢ回路、１０８Ａ；ガンマ補正回路、１０９Ａ；信号処理回路、１１０Ａ；色差信号補正回路、１２０Ａ；撮影モード選択回路、１３０Ａ；色補正値設定回路